(57)【要約】【課題】  【解決手段】  キャリッジ部１１は、画像読取面を読み取るセルフォックレンズ１０１、ランプ１０２、受光素子１０３からなる密着型イメージセンサ１００を保持し、上記密着型イメージセンサ１００を上記画像読取面に対して走査させる。そして、キャリッジ部１１により保持される密着型イメージセンサ１００は、キャリッジ部１１おける移動方向に湾曲して少なくとも２つに折りたたむように装置底面に配設されるハーネス１３と接続することによりデータ処理部１４と接続することができる。そして、装置底面の上方で配設されるハーネス１３の上部１３ａが装置底面で配設されるハーネス１３の下部１３ｂと接触しないよう、接触防止部材１５を配置する。この接触防止部材１５を配置することによりハーネス同士の接触を防止することができる。【選択図】  図１
2005352088.tif 000002
【特許請求の範囲】
【請求項１】
密着型イメージセンサを保持し、画像読取面に沿って往復移動するキャリッジ手段と、
装置内部に配置され、前記密着型イメージセンサが読み取った画像データを取り込んでデータ処理を実行する制御手段と、
前記密着型イメージセンサと前記制御手段とを接続する配線部材であって、少なくとも２つに折りたたまれて形成するハーネスと、
前記ハーネスが折りたたまれて形成される上部が最長となる場合における当該上部とその下部との間に配置され、前記キャリッジ手段の往復移動の際に前記上部と前記下部の接触を防止する接触防止手段と、を備える画像読取装置。
【請求項２】
前記ハーネスは、メッシュ状のシールド部材により覆われていることを特徴とする請求項１記載の画像読取装置。
【発明の詳細な説明】
【技術分野】
【０００１】
本発明は、密着型イメージセンサを用いた画像読取装置に関する。
【背景技術】
【０００２】
従来、画像読取装置の走査装置として、例えば特許文献１（特開平８−２３８８７号公報）に記載されているように、読取部が画像読取面を走査することとにより、画像データを読み取ることのできる走査装置が知られている。この走査装置は、画像読取面を読み取る読取部を備えるフルレートキャリッジにランプハーネスが接続されている。そして、当該走査装置のランプハーネスは、フルレートキャリッジの移動に追従するハーフレートキャリッジのガイド部材に引き回され、装置底面に設置される電源に接続されている（特許文献１の図１０参照）。
【特許文献１】特開平８−２８８８７号公報
【発明の開示】
【発明が解決しようとする課題】
【０００３】
上述のとおり上述特許文献１に記載の走査装置のハーネスはハーフレートキャリッジに巻き込まれるよう引き回されている。従って、ハーネスがその自重により垂れ下がり、装置底面に引き回されているハーネスに接触するといった問題は生じにくくなっている。しかしながら、キャリッジに密着型イメージセンサを備えた画像読取装置においては、ハーフレートキャリッジが存在しないため、以下の課題が生じる。
【０００４】
すなわち、密着型イメージセンサを用いた画像読取装置に配設されるハーネスは、ガイド部材などに依存することなく、装置内で湾曲して少なくとも２つに折りたたむよう引き回されている。このため、装置底面に対して上方で引き回されているハーネスの一部分が、当該一部分の自重により、装置底面に引き回されているハーネスの一部分と接触してしまう場合がある。そのときの様子を図示する。図５（ａ）は、ハーネス同士が接触している状態を示す説明図である。図５（ａ）に示すようにハーネス同士が接触して垂れ下がった状態のまま放置されると、その垂れ下がった形状をもってハーネスが変形してしまう。
【０００５】
また、上記ハーネスを、金属から形成されるシールド部材により覆って構成することが考えられる。このシールド部材は、ハーネスから電磁波が放出されることを防止したり、またハーネスに伝送される画像データにノイズがのらないようにしたりするための部材である。このシールド部材は、例えば、多数の線材を織り込んだメッシュ状（網目状）に構成されるものが用いられる。しかしながら、メッシュ状のシールド部材により覆われたハーネス同士が、接触する場合がある。この場合、メッシュ状にシールド部材が構成されているため、シールド部材同士が引っかかりやすい。そのときの様子を図示する。図５（ｂ）は、ハーネスを覆うシールド部材同士が引っ掛かっているときの状態を示す説明図である。図５（ｂ）に示すようにハーネスは互いに引っ掛かった状態となり、この状態で画像読取装置の動作が継続すると、ハーネスが断線する場合がある。
【０００６】
そこで、本発明は、上述の問題点を解決するため、少なくとも２つに折りたたんだハーネスの接触を防止する画像読取装置を提供することを目的とする。
【課題を解決するための手段】
【０００７】
本発明の画像読取装置は、上述の課題を解決するため、密着型イメージセンサを保持し、画像読取面に沿って往復移動するキャリッジ手段と、装置内部に配置され、前記密着型イメージセンサが読み取った画像データを取り込んでデータ処理を実行する制御手段と、前記密着型イメージセンサと前記制御手段とを接続する配線部材であって、少なくとも２つに折りたたまれて形成するハーネスと、前記ハーネスが折りたたまれて形成される上部が最長となる場合における当該上部とその下部との間に配置され、前記キャリッジ手段の往復移動の際に前記上部と前記下部の接触を防止する接触防止手段と、を備えている。
【０００８】
この発明によれば、ハーネスが折りたたまれて形成される上部が最長となる場合における当該上部とその下部との間に、キャリッジ手段の往復移動の際に上部と下部の接触を防止する接触防止手段を配置したことにより、当該形成されるハーネスの上部が垂れ下がった場合、接触防止手段が垂れ下がった部分を受け止め、当該形成される上部が下部に直接接触することを防止することができる。
【０００９】
また、本発明の画像読取装置のハーネスは、メッシュ状のシールド部材により覆われているよう構成することも好ましい。
【００１０】
この発明によれば、メッシュ状のシールド部材でハーネスを覆うことにより、ノイズの影響を低減することができる。また、メッシュ状のシールド部材の被覆により互いに接触することで絡まりやすいハーネス同士の絡まりを確実に防止することができる。
【発明の効果】
【００１１】
本発明によれば、ハーネスの上部が垂れ下がった場合、接触防止手段が垂れ下がった部分を受け止め、当該形成される上部が下部に直接接触することを防止することができ、ハーネス同士の接触を防止することができる。
【発明を実施するための最良の形態】
【００１２】
本発明は、一実施の形態のために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
まず、本実施形態に係る画像読取装置１０について説明する。図１は、本実施形態に係る画像読取装置１０の平面図である。画像読取装置１０は、キャリッジ部１１、レール部１２、ハーネス１３、データ処理部１４、接触防止部材１５、固定具１６、およびプラテンガラス１７（図２参照）を備えている。以下、各部について説明する。
【００１４】
キャリッジ部１１は、原稿などの画像読取対象物の画像情報を読み取る密着型イメージセンサ１００を保持するものであって、プラテンガラス１７上に載置された原稿面（画像読取面）を走査することにより、密着型イメージセンサ１００により画像読取面を読み取らせるものである。キャリッジ部１１は、図示しない駆動モータおよびワイヤにより牽引されることにより、画像読取面を走査することができる。また、キャリッジ部１１が保持する密着型イメージセンサ１００は、セルフォックレンズ１０１、ランプ１０２、および受光素子１０３を有する。また、キャリッジ部１１は、画像読取面に対して走査可能にする上部スライダ１０４、下部スライダ１０５が形成される。以下、密着型イメージセンサ１００およびキャリッジ部１１について説明する。
【００１５】
セルフォックレンズ１０１は、円柱状のレンズであって、円柱の半径方向に沿って屈折率を連続的に変化させることにより、円柱の軸方向に進行する光に対しレンズとして働くレンズである。セルフォックレンズ１０１は、主に密着型のイメージセンサに使用される。そして、画像読取面は、このセルフォックレンズ１０１を介して後述する受光素子１０３に入力される。
【００１６】
ランプ１０２は、プラテンガラス１７上に戴置される原稿などの画像読取対象物に対して光を照射する部材である。このランプ１０２により照射された画像読取面がセルフォックレンズ１０１を介して受光素子１０３に入力される。
【００１７】
受光素子１０３は、セルフォックレンズ１０１を通して得た画像読取面を二値データである画像データに変換するものである。生成された画像データは、上述データ処理部１４にハーネス１３を通って伝送される。
【００１８】
次に、キャリッジ部１１について説明する。上部スライダ１０４は、キャリッジ部１１における長手方向のそれぞれの端部にセルフォックレンズをはさむよう２つずつ配設される部材である。また、上部スライダ１０４は、４つの突起物から構成される部材である。上部スライダ１０４についての詳細は後述する。
【００１９】
下部スライダ部１０５は、後述するレール部１２に対して摺動するものである。詳細は後述する。
【００２０】
画像読取装置１０の説明に戻り、レール部１２は、一対のレールから構成され、キャリッジ部１１を移動可能に担持するものである。そして、当該レール部１２に沿ってキャリッジ部１１が摺動して移動することにより、画像読取面が走査される。
【００２１】
ハーネス１３は、密着型イメージセンサ１００に接続され、密着型イメージセンサ１００が読み取って得た画像データを後述するデータ処理部１４に伝送する配線部材である。ハーネス１３は、キャリッジ部１１の側面を介して密着型イメージセンサ１００と接続している。当該側面は、データ処理部１４が位置する側に対して反対側に形成される側面である。また、ハーネス１３は、キャリッジ部１１の移動方向に接続されている。そして、ハーネス１３は、画像読取装置１０内で湾曲して少なくとも２つに折りたたまれることにより、折り返し部を形成している。そして、折り返し部が形成されたハーネス１３は画像読取装置１０の底面に引き回されて、データ処理部１４と接続するよう配設されている。なお、ハーネス１３は、メッシュ状のシールド部材により覆われている。ノイズなどの影響を受けにくいよう構成するためである。
【００２２】
このようにハーネス１３は、折り返し部１３ｃを境に、画像読取装置１０の底面の上方で引き回されている上部１３ａと、画像読取装置１０の底面（または下方）に引き回されている下部１３ｂと、を有している。上部１３ａ、下部１３ｂ、および折り返し部１３ｃは、キャリッジ部１１の移動に伴って、上部１３ａおよび下部１３ｂを形成する長さおよび折り返し部１３ｃの位置が遷移していく（図３（ａ）、（ｂ）参照）。
【００２３】
例えば、キャリッジ部１１が待機位置にいる場合は、上部１３ａは短く、下部１３ｂは長い状態である。また折り返し部１３ｃはキャリッジ部１１の待機位置近傍に位置している。逆にキャリッジ部１１が読取終了位置にいる場合は、上部１３ａは長く、下部１３ｂは短い状態である。また折り返し部１３ｃはキャリッジ部１１の移動に追従して、移動方向における装置の中央部分に位置する。これにより、ハーネス１３は、キャリッジ部１１の移動に対して自由度を持つことができる（図３（ａ）、（ｂ）参照）。
【００２４】
データ処理部１４は、画像読取装置１０の底面部に固定されて設置され、キャリッジ部１１により保持される密着型イメージセンサ１００からハーネス１３を通って伝送された画像データを処理するものである。具体的には、データ処理部１４は、密着型イメージセンサ１００が読み取って得た画像データに対して拡大縮小、ノイズの除去補正などの処理を行う。
【００２５】
接触防止部材１５は、上述ハーネス１３の上部１３ａと上述ハーネス１３の下部１３ｂとの接触を防止するための板状の部材である。接触防止部材１５は、ハーネス１３が折りたたまれて形成される上部１３ａが最長となる場合における当該上部１３ａとその下部１３ｂとの間に配置される。ハーネス１３の上部１３ａが最長となる場合とは、例えば、キャリッジ部１１が読取終了位置に位置する場合である。接触防止部材１５についての詳細は後述する。
【００２６】
固定具１６は、ハーネス１３における画像読取装置１０の底面に引き回れている部分を固定するための部材であり、固定具１６は、ハーネス１３の折り返し部が、移動するキャリッジ部１１に追従する際に、当該追従を規制しないような位置に設置されている。
【００２７】
図１では図示しないプラテンガラス１７は、透明なガラス部材から形成されるものである。上述密着型イメージセンサ１００はプラテンガラス１７上に戴置された原稿における画像読取面をプラテンガラスを通して読み取ることができる。
【００２８】
このように構成された画像読取装置１０におけるキャリッジ部１１の動作について説明する。まず、キャリッジ部１１におけるレール部１２を用いた移動の仕組みについて説明する。図２は、画像読取装置１０のＩＩ−ＩＩ面における断面図である。
【００２９】
上述したとおり、キャリッジ部１１は、密着型イメージセンサ１００のほかにキャリッジ部１１が移動する際に使用される規制部材として上部スライダ１０４、下部スライダ１０５を備えている。この上部スライダ１０４、下部スライダ１０５についてさらに詳細に説明する。
【００３０】
上部スライダ１０４は、キャリッジ部１１における長手方向のそれぞれの端部にセルフォックレンズをはさむよう２つずつ配設され、４つの突起物から構成される部材である。当該上部スライダ１０４は、後述する下部スライダ１０５からの押圧力によりプラテンガラス１７に対して押圧する。これにより、プラテンガラス１７とセルフォックレンズ１０１（つまり受光素子）との距離を均一に保つことができる。なお、本実施形態では上部スライダ１０４を４つの突起物から構成した場合について説明したが３つの突起物から構成していれば十分であり、上部スライダ１０４を３つの突起物から構成しても良い。
【００３１】
下部スライダ１０５は、キャリッジ部１１における長手方向のそれぞれの端部に配設される、一対の突起物から構成される部材であって、一対のレール部１２に対して摺動するようキャリッジ部１１に保持される部材である。また、下部スライダ１０５とキャリッジ部１１との間には弾性部材（図示せず）が備え付けられており、この弾性部材はキャリッジ部１１を上方に押圧するよう作用する。
【００３２】
また、レール部１２の下部スライダ１０４と接する上面は傾斜している。下部スライダ１０５は、上述レール部１２の上面に対してほぼ垂直方向に接することができるように、キャリッジ部１１の下部スライダ１０５は傾斜している。そして、キャリッジ部１１は傾斜している下部スライダ１０５およびレール部１２により装置の内側面に当たることになる。これにより、装置の内側面およびレール部１２に沿ってキャリッジ部１１は、原稿面を走査することができる。
【００３３】
このように構成された画像読取装置１０のキャリッジ部１１の動作について断面図を用いて説明する。図３は、画像読取装置１０のＩＩＩ−ＩＩＩ面における断面図であり、図３（ａ）は、キャリッジ部１１が待機位置にいる状態を示す図であり、図３（ｂ）は、キャリッジ部１１が、原稿走査が終了した位置、つまり原稿の読み取りが完了した読取終了位置にいる状態を示す図である。
【００３４】
図３（ａ）に示すキャリッジ部１１が待機位置にいる状態の断面図によると、上述したようにハーネス１３は少なくとも２つに湾曲して折りたたまれている。そして、ハーネス１３は、画像読取装置１０の底面に引き回されて配置されている。このようにハーネス１３が配置されている画像読取装置１０において、ユーザの操作により読取指示が行われると、キャリッジ部１１は、図示しないモータおよびワイヤにより牽引される。そして、キャリッジ部１１は、下部スライダ１０５を用いてレール部１２に対して摺動する。これにより、キャリッジ部１１はその待機位置から移動し、原稿面を走査することができる。キャリッジ部１１が移動すると、ハーネス１３の折り返し部は、キャリッジ部１１の移動に伴ってキャリッジ部１１に追従するよう移動する。
【００３５】
そして、キャリッジ部１１は、図３（ｂ）に示すように、キャリッジ部１１における原稿走査が終了した位置に移動することになる。また、図３（ｂ）で示すように、接触防止部材１５は、キャリッジ部１１と当該キャリッジ部１１に接続されたハーネス１３の折り返し部との間に設置されている。この位置に設置されることにより、キャリッジ部１１の移動を規制することなく、ハーネス１３の上述上部１３ａと上述下部１３ｂとの接触を防止することができる。
【００３６】
さらに接触防止部材１５について詳細に説明する。図４は、接触防止部材１５の詳細図であり、図４（ａ）は接触防止部材１５の平面図であり、図４（ｂ）は接触防止部材１５の正面図であり、図４（ｃ）は接触防止部材１５によりハーネス同士の接触が防止されている状態を示す接触防止部材１５の測面図である。
【００３７】
図４（ａ）および（ｂ）に示すように、接触防止部材１５は、板状に形成された板部材１５ａと、一対のリブ部１５ｂとから構成されている。このリブ１５ｂは、該板部材１５ａを上述したハーネス１３の上部１３ａおよび下部１３ｂとの間で支える部材である。さらにリブ１５ｂは、板部材１５ａの下方にハーネス１３を引き回すことができるスペースを設けることができるよう逆三角形の形状で形成された部材である。このリブ１５ｂは、一対の部材からなる。
【００３８】
なお、板部材１５ａは、平らであるものに限定する必要はなく、また板であることに限定する必要はない。ハーネス１３の上部１３ａが下部１３ｂに接触することを防止することができれば、その形状はどのような形状をとってもよい。例えば、板部材１５ａの表面を波打った形状としてもよい。また、ハーネス１３の上部１３ａと下部１３ｂとの間に介在し、それらの接触を防止することができるものであれば、シート状の部材であってもよい。
【００３９】
このように構成された接触防止部材１５は、ハーネス１３の上部１３ａが最長となる場合における上部１３ａとその下部１３ｂとの間に配置される。これにより、ハーネス１３の自重によりハーネス１３の上述上部１３ａが垂れ下がった状態となっても、図４（ｃ）に示すように、ハーネス１３の上部１３ａは、接触防止部材１５によりハーネス１３の下部１３ｂに接触することがなく、ハーネス１３の変形する度合いが小さくなる。従って、ハーネス１３が変形した状態となることを防止することができる。また、ハーネス１３をメッシュ状のシールド部材で覆った場合においても、ハーネス同士が引っ掛かって断線することを防止することができる。
【００４０】
本発明の画像読取装置１０の作用効果について説明する。本発明の画像読取装置１０は、ハーネス１３が折りたたまれて形成される上部１３ａが最長となる場合における当該上部１３ａとその下部１３ｂとの間に、キャリッジ部１１の往復移動の際に上部１３ａと下部１３ｂの接触を防止する接触防止部材１５を配置したことにより、ハーネス１３の上部１３ａが垂れ下がった場合、接触防止部材１５が垂れ下がった部分を受け止め、当該形成される上部１３ａが下部１３ｂに直接接触することを防止することができる。
【００４１】
また、メッシュ状のシールド部材でハーネス１３を覆うことにより、ノイズの影響を低減することができる。また、互いに接触することで絡まりやすい部材であるシールド部材でハーネスを覆うことにより生ずるハーネス同士の絡まりを接触防止部材１５により防止することができる。
【図面の簡単な説明】
【００４２】
【図１】画像読取装置１０の上面図である。
【図２】画像読取装置１０のＩＩ−ＩＩ面における断面図である。
【図３】画像読取装置１０のＩＩＩ−ＩＩＩ面における断面図であり、（ａ）はキャリッジ部１１が待機位置にいる状態を示す断面図であり、（ｂ）はキャリッジ部１１の原稿走査が終了した位置にいる状態を示す断面図である。
【図４】接触防止部材１５の詳細図であり、（ａ）は接触防止部材１５の上面図であり、（ｂ）は接触防止部材１５の正面図であり、（ｃ）は接触防止部材１５によりハーネス同士の接触が防止されている状態を示す接触防止部材１５の測面図である。
【図５】従来の技術におけるハーネスの状態を示す概念図であり、（ａ）はハーネス同士が接触している状態を示す概念図であり、（ｂ）はハーネスを覆うシールド部材同士が引っ掛かっているときの状態を示す概念図である。
【符号の説明】
【００４３】
１０・・・画像読取装置、１１・・・キャリッジ部、１２・・・レール部、１３・・・ハーネス、１４・・・データ処理部、１５・・・接触防止部材、１５ａ・・・板部材、１５ｂ・・・リブ部、１６・・・固定具、１７・・・プラテンガラス、１０１・・・セルフォックレンズ、１０２・・・ランプ、１０３・・・受光素子、１０４・・・上部スライダ、１０５・・・下部スライダ。
【図１】
2005352088.tif 000003
【図２】
2005352088.tif 000004
【図３】
2005352088.tif 000005
【図４】
2005352088.tif 000006
【図５】
2005352088.tif 000007